【手続補正書】
【提出日】平成25年3月14日(2013.3.14)
【手続補正１】
【補正対象書類名】特許請求の範囲
【補正対象項目名】全文
【補正方法】変更
【補正の内容】
【特許請求の範囲】
【請求項１】
流体流コネクターであって、当該流体流コネクターは、
ハウジングアセンブリーを有し、該ハウジングアセンブリーは、第１の端部および第２の端部を有し、該第１の端部および該第２の端部は、共通の長手軸に沿って並んでおり、かつ、
弾性を有する流体流導管部材を有し、該弾性を有する流体流導管部材は、該ハウジングアセンブリー内に配置されており、該ハウジングアセンブリーの該第１の端部と一緒に配置された前方端部を有し、該前方端部は、選択的に閉鎖可能なスリットおよび少なくとも１つの側面開口部を有して形成されており、
該弾性を有する流体流導管部材は、閉じたポジションに位置することができ、該閉じたポジションでは、該スリットは閉じているが、該少なくとも１つの側面開口部は開いており、かつ、
該弾性を有する流体流導管部材は、開いたポジションに位置することができ、それにより、該スリットを開くようにし、かつ該少なくとも１つの側面開口部を開いておき、それにより、該弾性を有する流体流導管部材が該開いたポジションにあるときに、該選択的に閉鎖可能なスリットおよび該少なくとも１つの側面開口部はそれぞれ、該弾性を有する流体流導管部材の内部と該ハウジングアセンブリーの該第１の端部との間に流体流の通路を提供する、
前記流体流コネクター。
【請求項２】
該弾性を有する流体流導管部材が、該共通の長手軸に沿って、閉じたポジションと開いたポジションとの間で移動するように構成されている、請求項１に記載の流体流コネクター。
【請求項３】
該少なくとも１つの側面開口部が、該長手軸に対して概して垂直に延びている、請求項１または２に記載の流体流コネクター。
【請求項４】
該弾性を有する流体流導管部材がプレテンションを加えられ、それにより該閉じたポジションへと推されている、請求項１〜３のいずれか１項に記載の流体流コネクター。
【請求項５】
該弾性を有する流体流導管部材が、
該前方端部の後方に形成された変位係合位置を有し、該変位係合位置は、変位アクチュエータによる該弾性を有する流体流導管部材の係合により、該長手軸に沿って、該ハウジングアセンブリーに対する該弾性を有する流体流導管部材の後方移動を提供するためのものであり、
概して円筒状の部分を有し、該円筒状の部分は、該変位係合位置の後方に延びており、かつ前方部分および後方部分を有し、かつ、
半径方向外側に延びているテンション付与可能な連結部分を有し、該半径方向外側に延びているテンション付与可能な連結部分は、該前方部分と該後方部分との中間にある、該
変位係合位置から後方に間隔を置いた連結位置において、該概して円筒状の部分に一体的に連結されている、
請求項１〜４のいずれか１項に記載の流体流コネクター。
【請求項６】
該弾性を有する流体流導管部材が、細長いボアを有して形成されており、該細長いボアは、流体流導管を画定し、かつ、
該スリットおよび該少なくとも１つの側面開口部が、該細長いボアと連通している、
請求項１〜５のいずれか１項に記載の流体流コネクター。
【請求項７】
該弾性を有する流体流導管部材が該閉じたポジションに位置するときに、該前方端部が、前方に向いたアパーチャを有する前方導管に係合し、それにより該スリットを閉じるが、該弾性を有する流体流導管部材の内部と、該前方導管内にある該弾性を有する流体流導管部材の外部との間の流体連通のために、該少なくとも１つの側面開口部を開いておき、それにより該前方に向いたアパーチャをシールする、
請求項１〜６のいずれか１項に記載の流体流コネクター。
【請求項８】
該弾性を有する流体流導管部材が該開いたポジションに位置するときに、該前方端部が、該前方導管に係合せず、それにより該スリットが開くのを可能にし、かつ、該弾性を有する流体流導管部材の内部と、該前方導管内にある該弾性を有する流体流導管部材の外部との間の流体連通のために該少なくとも１つの側面開口部を開いておき、それにより該前方に向いたアパーチャのシールを解除するようになっており、かつ、
該前方導管が、内部ボアを有して形成されており、該内部ボアは、前方にテーパーになった部分を有する、請求項７に記載の流体流コネクター。
【請求項９】
該弾性を有する流体流導管部材が、シールリングを有して形成されており、該シールリングが、該前方端部のわずかに後方において、該弾性を有する流体流導管部材から半径方向外側に延びている、請求項８記載の流体流コネクター。
【請求項１０】
該弾性を有する流体流導管部材が、半径方向外側のシール表面を有して形成されており、該半径方向外側のシール表面は、その後方端部から半径方向外側に延びている、請求項１〜９のいずれか１項に記載の流体流コネクター。
【請求項１１】
該ハウジングアセンブリーが、後方導管を有し、該後方導管は、該第２の端部から前方に延びている、請求項５記載の流体流コネクター。
【請求項１２】
該弾性を有する流体流導管部材の該半径方向外側のシール表面、および、該後方導管の内側に向いた表面が、スライド可能にシール係合し、該シール係合が、該後方導管を通じて該流体流コネクターに流入する流体が該連結部分の後方の空間に流入するのを防止し、それにより、該流体を不要に保持し得る「デッドスペース」として該空間が作用することを防止する、請求項１１記載の流体流コネクター。
【請求項１３】
該弾性を有する流体流導管部材の該シールリング、および、該前方導管の該内部ボアが、スライド可能にシール係合し、該シール係合が、該スリットおよび該少なくとも１つの側面開口部を通過する流体が該シールリングの後方の該内部ボア内の空間に流入するのを防止し、それにより、該流体を不要に保持し得る「デッドスペース」として該空間が作用することを防止する、請求項９記載の流体流コネクター。
【請求項１４】
流体流コネクターであって、当該流体流コネクターは、
ハウジングアセンブリーを有し、該ハウジングアセンブリーは、オネジ付き端部およびメネジ付き端部を有し、該オネジ付き端部および該メネジ付き端部は、共通の長手軸に沿って該軸の反対端部に配置されており、かつ、
弾性を有する流体流導管部材を有し、該弾性を有する流体流導管部材は、該ハウジングアセンブリー内に配置されており、かつ、該共通の長手軸に沿って移動するように構成されており、該弾性を有する流体流導管部材は、該ハウジングアセンブリーの該オネジ付き端部に隣接するその後方端部と、該ハウジングアセンブリーの該メネジ付き端部に隣接するその前方端部との間に、その内側において該長手軸に沿って延びている流体流通路を画定し、
該弾性を有する流体流導管部材は、その前方端部において少なくとも１つの開口部を有し、該少なくとも１つの開口部は、該流体流通路と該前方端部の外側の位置との間の流体連通を可能とし、
該弾性を有する流体流導管部材は、該前方端部の後方に形成された変位係合位置を有し、該変位係合位置は、変位アクチュエータによる該弾性を有する流体流導管部材の係合のためのものであり、該アクチュエータは、閉じたポジションと開いたポジションとの間で該長手軸に沿って、該弾性を有する流体流導管部材を該ハウジングアセンブリーに対して後方移動させるようになっており、
該弾性を有する流体流導管部材は、概して円筒状の部分を有し、該円筒状の部分は、該変位係合位置の後方に延びており、かつ前方部分および後方部分を有し、かつ、
該弾性を有する流体流導管部材は、半径方向外側に延びているテンション付与可能な連結部分を有し、該半径方向外側に延びているテンション付与可能な連結部分は、該前方部分と該後方部分との中間にある、該変位係合位置から後方に間隔を置いた連結位置において、該概して円筒状の部分に一体的に連結されている、
前記流体流コネクター。
【請求項１５】
該弾性を有する流体流導管部材がプレテンションを加えられ、それにより該閉じたポジションへと推されている、請求項１４記載の流体流コネクター。